(57)【要約】【課題】会員との商取引の際に非会員よりも不利な条件で販売される商品については自動的に非会員と同等な条件で当該商品を販売処理できるようにする。【解決手段】商品を優待販売条件、例えば優待価格や優待割引率等で購入可能な会員との商取引なのか一般販売条件で購入する非会員との商取引なのかを判断する。会員との商取引であると判断されると、当該会員が購入する商品に対して設定されている優待販売条件と一般販売条件とを取得し比較する。その結果、条件のよい方を選択し、この選択された方の販売条件で当該商品の販売データを処理する。【選択図】      図６
2006126957.tif 000002
【特許請求の範囲】
【請求項１】
商品を優待販売条件で購入可能な会員との商取引なのか一般販売条件で購入する非会員との商取引なのかを判断する取引判断手段と、
この取引判断手段により前記会員との商取引であると判断されたとき当該会員が購入する商品に対して設定されている優待販売条件と一般販売条件とを取得し比較する比較手段と、
この比較手段による比較の結果、条件のよい方を選択する選択手段と、
この選択手段により選択された方の販売条件で当該商品の販売データを処理する会員取引処理手段と、
を具備したことを特徴とする商品販売データ処理装置。
【請求項２】
商品を優待価格で購入可能な会員との商取引なのか一般価格で購入する非会員との商取引なのかを判断する取引判断手段と、
この取引判断手段により前記会員との商取引であると判断されたとき当該会員が購入する商品に対して設定されている優待価格と一般価格とを取得し比較する価格比較手段と、
この価格比較手段による比較の結果、安値の方を選択する安値選択手段と、
この安値選択手段により選択された方の価格で当該商品の販売データを処理する会員取引処理手段と、
を具備したことを特徴とする商品販売データ処理装置。
【請求項３】
前記価格比較手段により優待価格よりも一般価格の方が安値であるとき、優待価格から一般価格を減算した金額を値引額とする値引額算出手段と、
この値引額算出手段により算出された値引額を表示する値引額表示手段と、
をさらに具備したことを特徴とする請求項２記載の商品販売データ処理装置。
【請求項４】
商品を優待割引率で割引された価格で購入可能な会員との商取引なのか一般割引率で割引された価格で購入する非会員との商取引なのかを判断する取引判断手段と、
この取引判断手段により前記会員との商取引であると判断されたとき当該会員が購入する商品に対して設定されている優待割引率と一般割引率とを取得し比較する割引率比較手段と、
この割引率比較手段による比較の結果、割引率の大きい方を選択する割引率選択手段と、
この割引率選択手段により選択された方の割引率で割引された価格で当該商品の販売データを処理する会員取引処理手段と、
を具備したことを特徴とする商品販売データ処理装置。
【請求項５】
前記割引率比較手段により優待割引率よりも一般割引率の方が大きいとき、当該商品の価格を前記優待割引率で割引した価格から当該商品の価格を前記一般割引率で割引した価格を減算した金額を値引額とする値引額算出手段と、
この値引額算出手段により算出された値引額を表示する値引額表示手段と、
をさらに具備したことを特徴とする請求項４記載の商品販売データ処理装置。
【発明の詳細な説明】
【技術分野】
【０００１】
本発明は、小売店で用いられる電子式キャッシュレジスタやＰＯＳ（Point Of Sales）端末等の商品販売データ処理装置に関わり、特に、会員に対しては非会員よりも通常安い価格で商品を販売する会員サービス制度が導入された小売店向けの商品販売データ処理装置に関する。
【背景技術】
【０００２】
百貨店や専門店等の小売店の中には、会員を募り、会員となった買物客に対しては非会員よりも安い価格で商品を販売する制度、いわゆる会員サービス制度を導入して、顧客の安定化を図っているところがある。通常、このような会員サービス制度を導入した小売店向けの商品販売データ処理装置としては、各会員にそれぞれ配布される会員カードに記録された会員コード等のカード情報を読取るためのカードリーダを備えるとともに、各商品の商品コードに対応して非会員用の一般価格と会員用の優待価格とを記憶したＰＬＵ（Price Look Up）ファイルを備える。そして、１買物客に対して販売する商品の登録開始に先立ち、カードリーダで会員カードのカード情報が読取られると、買物客が会員であることを示すフラグ情報を記憶する。また、買物客に対して販売する商品の登録が行われると、前記フラグ情報から買物客が会員であるか非会員であるかを判断し、会員であればＰＬＵファイルから該当商品の優待価格を呼び出して売上処理し、非会員であれば一般価格を読み出して売上処理するようになっている。
【０００３】
このような商品販売データ処理装置において、従来、１枚の同一会員カードを非会員を含む複数人で使い回したり、会員に成りすました悪質な同業者が転売目的で買ったりするような不正行為を防止することを目的に、１会員に対する複数取引の総販売点数に制限を持たせ、制限値までは優待価格で販売するが、制限値を超えると一般価格で販売するように制御したものは知られていた（例えば、特許文献１参照）。
【特許文献１】特開２０００−１３７８７２号公報
【発明の開示】
【発明が解決しようとする課題】
【０００４】
ところで、多くの小売店では特売期間を設定し、この期間中は特売対象であるいくつかの商品を通常の価格よりも値引した価格で販売するようにして、顧客の購買意欲を高めることが行われている。このような特売方式は、会員サービス制度が導入された小売店でも実施されることがある。
【０００５】
しかしながら、特売方式を会員サービス制度が導入された小売店で実施する場合、通常は、商品販売データ処理装置のＰＬＵファイルに記憶されている特売対象商品の一般価格を特売価格に変更して対応することとなる。このため、優待価格よりも安値の価格を特売価格としてＰＬＵファイルに設定した場合、非会員との商取引の際には特売価格が呼び出されるのに対して、会員との商取引の際には特売価格よりも高値の会員価格が呼び出されるので、そのまま売上処理がなされてしまうと会員の方が不利となるという不都合があった。このような不都合を解消するためには、会員との商取引の際に会員価格よりも特売価格の方が安値の商品については別途値引操作を行う等の対策が必要となり、キャッシャの負担増につながる。
【０００６】
本発明はこのような事情に基づいてなされたもので、その目的とするところは、会員との商取引の際に非会員よりも不利な条件で販売される商品については自動的に非会員と同等な条件で当該商品を販売処理することができる商品販売データ処理装置を提供しようとするものである。
【課題を解決するための手段】
【０００７】
本発明は、会員サービス制度が導入された小売店向けの商品販売データ処理装置、例えばＰＯＳ端末において、商品を優待販売条件（例えば優待価格，優待割引率）で購入可能な会員との商取引なのか一般販売条件（例えば一般価格，一般割引率）で購入する非会員との商取引なのかを判断する取引判断手段と、この取引判断手段により会員との商取引であると判断されたとき当該会員が購入する商品に対して設定されている優待販売条件と一般販売条件とを取得し比較する比較手段（例えば価格比較手段，割引率比較手段）と、この比較手段による比較の結果、条件のよい方（例えば価格が安値の方，割引率が大きい方）を選択する選択手段（例えば安値選択手段，割引率選択手段）と、この選択手段により選択された方の販売条件で当該商品の販売データを処理する会員取引処理手段とを備えたものである。
【発明の効果】
【０００８】
かかる手段を講じた本発明によれば、会員との商取引の際に非会員よりも不利な条件で販売される商品については自動的に非会員と同等な条件で当該商品を販売処理することができ、キャッシャの負担を軽減できる商品販売データ処理装置を提供できる。
【発明を実施するための最良の形態】
【０００９】
以下、本発明を実施するための最良な形態について、図面を用いて説明する。  
なお、この実施の形態は、会員サービス制度が導入された小売店向けの商品販売データ処理装置の一態様として、ＰＯＳ端末に本発明を適用した場合である。
【００１０】
図１は本実施の形態におけるＰＯＳ端末の要部構成を示すブロック図であり、このＰＯＳ端末は、制御部本体としてＣＰＵ１を搭載している。また、ＣＰＵ１が実行するプログラム等の固定的データが予め格納されたＲＯＭ（Read Only Memory）２、商品販売データを処理するのに必要な種々のメモリエリアが形成されるＲＡＭ（Random Access Memory）３、現在の日時を計時する時計部４、スキャナ５で読取られたバーコードデータを取込むスキャナインターフェイス６、ストアサーバ７とのデータ通信を司る通信インターフェイス８、キーボード９を制御して操作キーの信号を取込むキーボードコントローラ１０、オペレータ用ディスプレイ１１を制御して商品名，価格等を表示させる第１の表示コントローラ１２、客用ディスプレイ１３を制御して商品名，価格等を表示させる第２の表示コントローラ１４、プリンタ１５を制御してレシート印字等を行わせるプリンタコントローラ１６、ドロワ１７を開放させるための信号を出力するＩ／Ｏポート１８、会員カード１９に記録された会員コード等のカード情報を読取るためのカードリーダ２０を制御するカードリーダコントローラ２１等を搭載しており、これらをアドレスバス，データバス等のバスライン２２を介してＣＰＵ１に接続している。
【００１１】
ストアサーバ７には、図２に示すように、各商品に対してそれぞれ設定されるＰＬＵコードに対応して、商品名，単価，割引率，優待情報，優待区分等の商品データがプリセットされたＰＬＵファイル２３を記憶管理している。また、各会員の会員コードに対応して、氏名，住所，性別等の個人データを蓄積するための会員ファイル２４を記憶管理している。なお、これらのデータファイルは、ＰＯＳ端末のＲＡＭ３やＨＤＤ（Hard Disk Drive）装置に記憶されていてもよい。
【００１２】
ＰＬＵファイル２３の商品データ項目において、優待区分は対応する優待情報を区分するデータであり、本実施の形態では、対応する優待情報が会員に対する優待価格であるときの優待区分を“０”とし、優待割引率であるときの優待区分を“１”とし、優待値引額であるときの優待区分を“２”とする。
【００１３】
かかる構成のＰＯＳ端末１は、商品を優待価格や優待割引率等の優待販売条件で購入可能な会員との商取引なのか一般価格や一般割引率等の一般販売条件で購入する非会員との商取引なのかを判断する（取引判断手段）。ここで、非会員との商取引であると判断されたときには、当該会員が購入する商品に対して設定されている一般販売条件で当該商品の販売データを処理する。これに対し、会員との商取引であると判断されたときには、当該会員が購入する商品に対して設定されている優待販売条件と一般販売条件とを取得し比較し（比較手段）、条件のよい方を選択する（選択手段）。そして、選択された方の販売条件で当該商品の販売データを処理するものとなっている（会員取引処理手段）。
【００１４】
すなわち当該ＰＯＳ端末は、上記機能を実現するために、図３に示すように、１商取引の商品登録中であるときセットされる登録中フラグＲＦのフラグメモリ３１や、会員との商取引であるときセットされる会員取引フラグＭＦのフラグメモリ３２や、１商取引分のレシート印字データが蓄積されるレシート印字バッファ３３等の他に、価格メモリ３４，一般価格メモリ３５，優待価格メモリ３６及び値引額メモリ３７のワークメモリがＲＡＭ３に形成されている。
【００１５】
しかしてＣＰＵ１は、１顧客との商取引に対して図４の流れ図に示す手順の処理を実行するものとなっている。先ずＣＰＵ１は、ＳＴ（ステップ）１としてフラグメモリ３１，３２の登録中フラグＲＦ及び会員取引フラグＭＦを“０”にリセットする。この状態で、ＣＰＵ１は、ＳＴ２としてカードリーダ２０によりカードデータが読取られたか否かを判断する。
【００１６】
ここで、カードリーダ２０からカードリーダコントローラ２１に入力されたデータによりカードデータが読取られたと判断すると、ＣＰＵ１は、ＳＴ３としてそのカードデータが会員カード１９に記録されているカードデータであるか否かを判断する。そして、会員カード１９に記録されているカードデータであると判断した場合には、ＣＰＵ１は、ＳＴ４として、カードデータに含まれる会員コードでストアサーバ７に会員の認証を問い合わせる。この問合せに対してストアサーバ７では、当該会員コードの会員データを会員ファイル２４から取得して会員を認証するか判定し、その判定結果を応答するので、ＣＰＵ１は、ＳＴ５としてストアサーバ７から会員を認証する応答を受けたならば、ＳＴ６として会員取引フラグＭＦを“１”にセットする。
【００１７】
なお、会員カード以外のカードデータがカードリーダで読取られた場合には、そのカード種別に応じた処理を実行する。また、ストアサーバ７から会員を認証する応答を得られなかった場合には、会員認証エラーを報知して、今回の処理を終了する。
【００１８】
ＳＴ１にてカードデータが読取られていないと判断した場合、及びＳＴ６にて会員取引フラグＭＦを“１”にセットした後は、ＣＰＵ１は、ＳＴ７としてＰＬＵコードが入力されたか否かを判断する。ここで、ＰＬＵコードが入力されていないと判断した場合には、ＣＰＵ１は、ＳＴ８として登録中フラグＲＦが“１”にセットされているか否かを判断する。当初、登録中フラグＲＦは“０”にリセットされているので、ＣＰＵ１はＳＴ２の処理に戻る。
【００１９】
ＳＴ７にて例えばスキャナインターフェイス６を介して入力されたスキャニングデータがＰＬＵコードのバーコードデータであるとき、あるいはキーボードコントローラ１０に入力される信号がＰＬＵコードの置数データであるとき、ＣＰＵ１は、ＰＬＵコードの入力有りと判断する。そして、ＳＴ８として登録中フラグＲＦを調べる。当初、登録中フラグＲＦは“０”にリセットされているので、ＣＰＵ１は、ＳＴ１０としてこの登録中フラグＲＦを“１”にセットする。
【００２０】
次に、ＣＰＵ１は、ＳＴ１１として会員取引フラグＭＦが“１”にセットされているか否かを判断する（取引判断手段）。ここで、会員取引フラグＭＦが“０”にリセットされていた場合には、非会員との商取引で販売される商品のＰＬＵコードが入力されたので、ＣＰＵ１は、ＳＴ１２として後述する非会員登録処理を実行する。これに対し、会員取引フラグＭＦが“１”にセットされていた場合には、会員との商取引で販売される商品のＰＬＵコードが入力されたので、ＣＰＵ１は、ＳＴ１３として後述する非会員登録処理を実行する。
【００２１】
その後、ＣＰＵ１は、ＳＴ１４としてキーボード９の締めキーが入力されたか否かを判断する。そして、締めキーが入力されていないと判断した場合には、ＣＰＵ１は、ＳＴ７の処理に戻る。すると、今度は登録中フラグＲＦが“１”にセットされているので、ＣＰＵ１は、ＳＴ８にてＳＴ２の処理に戻らず、ＳＴ７の処理に戻る。そして、次の商品のＰＬＵコードが入力されると、ＳＴ１０の処理を行わずにＳＴ１１の処理に進む。
【００２２】
ＳＴ１４にてキーボードコントローラ１０に入力された信号により締めキーが入力されたと判断した場合には、ＣＰＵ１は、ＳＴ１５として釣銭演算等の登録締め処理を実行する。そして、ＳＴ１６としてプリンタ１５を駆動させてレシート印字バッファ３３に記憶されているレシート印字データに基づきレシート印字を行わせ、レシートを発行させたならば、ＣＰＵ１は、１商取引に対する処理を終了する。
【００２３】
したがって本実施の形態のＰＯＳ端末は、１商取引に対して１点目の販売商品のＰＬＵコードが入力されるまでは、会員カード１９のカードデータの読取りを許可している。そして、会員カード１９のカードデータが読取られると、当該商取引での販売商品に対して会員登録処理を実行する。これに対し、会員カード１９のカードデータが読取られることなくＰＬＵコードが入力された場合には、当該商取引での販売商品に対して非会員登録処理を実行する。
【００２４】
図５は前記非会員登録処理の手順を具体的に示す流れ図である。すなわちＣＰＵ１は、会員取引フラグＭＦが“０”にリセットされている状態で販売商品のＰＬＵコードが入力されると、この非会員登録処理を開始する。
【００２５】
先ずＣＰＵ１は、ＳＴ２１としてそのＰＬＵコードでストアサーバ７に商品データを問い合わせる。この問合せに対してストアサーバ７では、当該ＰＬＵコードに対応して設定されている商品名，単価，割引率，優待情報，優待区分等の商品データを読出し応答するので、この商品データの中から商品名，単価及び割引率を取得する。
【００２６】
次にＣＰＵ１は、ＳＴ２２として商品データ中の割引率が設定されているか否かを判断する。ここで、割引率が０％、つまり設定されていない場合には、ＣＰＵ１は、ＳＴ２３として商品データ中の単価を価格メモリ３４にセットする。これに対し、割引率が０％より大きい場合には、ＣＰＵ１は、ＳＴ２４として商品データ中の単価を割引率で割引した価格を算出し、この割引後の価格を価格メモリ３４にセットする。
【００２７】
その後、ＣＰＵ１は、ＳＴ２５として価格メモリ３４にセットされた価格に基づいて商品販売データを登録処理する。また、ＳＴ２６として商品名，価格等をオペレータ用ディスプレイ１１及び客用ディスプレイ１３に表示させる。さらに、ＳＴ２７としてレシート印字バッファ３３に商品名，価格等の印字データをセットしたならば、今回の非会員登録処理を終了する。
【００２８】
図６は前記非会員登録処理の手順を具体的に示す流れ図である。すなわちＣＰＵ１は、会員取引フラグＭＦが“１”にセットされている状態で販売商品のＰＬＵコードが入力されると、この会員登録処理を開始する。
【００２９】
先ずＣＰＵ１は、ＳＴ３１としてそのＰＬＵコードでストアサーバ７に商品データを問い合わせる。この問合せに対してストアサーバ７では、当該ＰＬＵコードに対応して設定されている商品名，単価，割引率，優待情報，優待区分等の商品データを読出し応答するので、この商品データの中から商品名，単価，優待情報及び優待区分を取得する。
【００３０】
次にＣＰＵ１は、ＳＴ３２，ＳＴ３３として商品データ中の優待区分を調べる。ここで、優待区分が“０”の場合には、優待情報は優待価格なので、ＣＰＵ１は、ＳＴ３４としてその優待情報を優待価格メモリ３６にセットする。また、割引率が０％の場合は単価をそのまま一般価格メモリ３５にセットし、割引率が０％より大きい場合は単価を当該割引率で割引した後の価格を一般価格メモリ３５にセットする。
【００３１】
次にＣＰＵ１は、ＳＴ３５として優待価格メモリ３６内の価格と一般価格メモリ３５内の価格とを比較する（価格比較手段）。その結果、優待価格メモリ３６内の価格と一般価格メモリ３５内の価格とが同額若しくは優待価格メモリ３６内の価格の方が一般価格メモリ３５内の価格よりも安値の場合には、ＳＴ３６として優待価格メモリ３６内の価格を選択し、価格メモリ３４にセットする（安値選択手段）。これに対し、一般価格メモリ３５内の価格の方が優待価格メモリ３６内の価格よりも安値の場合には、ＳＴ３７として一般価格メモリ３５内の価格を選択し、価格メモリ３４にセットする（安値選択手段）。
【００３２】
その後は、前述した非会員登録処理のＳＴ２５〜ＳＴ２７と同様に、ＳＴ３８として価格メモリ３４にセットされた価格に基づいて商品販売データを登録処理する（会員取引処理手段）。また、ＳＴ３９として商品名，価格等をオペレータ用ディスプレイ１１及び客用ディスプレイ１３に表示させる。さらに、ＳＴ４０としてレシート印字バッファ３３に商品名，価格等の印字データをセットしたならば、今回の会員登録処理を終了する。
【００３３】
一方、優待区分が“１”の場合には、優待情報は優待割引率なので、ＣＰＵ１は、ＳＴ４１としてこの優待情報と割引率とを比較する（割引率比較手段）。その結果、優待情報と割引率とが等しい、若しくは優待情報の方が割引率よりも大きい場合には、ＣＰＵ１は、ＳＴ４２として優待情報，つまりは優待割引率を選択する。そして、この優待割引率で商品データ中の単価を割引した価格を価格メモリ３４にセットする（割引率選択手段）。これに対し、割引率の方が優待情報より大きい場合には、ＳＴ４３として割引率を選択する。そして、この割引率で商品データ中の単価を割引した価格を価格メモリ３４にセットする（割引率選択手段）。その後は、前記ＳＴ３８〜ＳＴ４０の処理を実行する。
【００３４】
また、優待区分が“２”の場合には、優待情報は優待値引額なので、ＣＰＵ１は、ＳＴ４４として商品データ中の単価を優待情報で値引した価格を優待価格メモリ３６にセットする。また、割引率が０％の場合は単価をそのまま一般価格メモリ３５にセットし、割引率が０％より大きい場合は単価を当該割引率で割引した後の価格を一般価格メモリ３５にセットする。
【００３５】
次にＣＰＵ１は、前記ＳＴ３５〜ＳＴ３７の処理と同様に、優待価格メモリ３６内の価格と一般価格メモリ３５内の価格とを比較する（価格比較手段）。その結果、優待価格メモリ３６内の価格と一般価格メモリ３５内の価格とが同額若しくは優待価格メモリ３６内の価格の方が一般価格メモリ３５内の価格よりも安値の場合には、優待価格メモリ３６内の価格を選択し、価格メモリ３４にセットする（安値選択手段）。これに対し、一般価格メモリ３５内の価格の方が優待価格メモリ３６内の価格よりも安値の場合には、優待価格メモリ３６内の価格を選択し、価格メモリ３４にセットする（安値選択手段）。その後は、前記ＳＴ３８〜ＳＴ４０の処理を実行する。
【００３６】
このように構成された本実施の形態において、今、ＰＬＵファイル２３に図２に示す内容の商品データが設定されたＰＬＵコード［ＰＬＵ００１］〜［ＰＬＵ００６］の６品目をそれぞれ１品ずつ購入する顧客がいたとする。なお、ＰＬＵコード［ＰＬＵ００１］，［ＰＬＵ００３］，［ＰＬＵ００４］の３品目は、それぞれ単価として特売価格が設定された特売対象商品である。また、ＰＬＵコード［ＰＬＵ００２］，［ＰＬＵ００５］，［ＰＬＵ００６］の３品目は、それぞれ割引率が設定された特売対象商品である。
【００３７】
この場合において、当該顧客が非会員である場合には、ＰＬＵコード［ＰＬＵ００１］の商品は単価１００円で販売され、ＰＬＵコード［ＰＬＵ００２］の商品は単価２００円の５％引き、すなわち１９０円で販売され、ＰＬＵコード［ＰＬＵ００３］の商品は単価２５０円で販売され、ＰＬＵコード［ＰＬＵ００４］の商品は単価３００円で販売され、ＰＬＵコード［ＰＬＵ００５］の商品は単価１００円の２０％引き、すなわち８０円で販売され、ＰＬＵコード［ＰＬＵ００６］の商品は単価４００円の２０％引き、すなわち３２０円で販売される。
【００３８】
一方、当該顧客が会員であった場合には、ＰＬＵコード［ＰＬＵ００１］の商品は優待区分が“０”、すなわち優待情報「８０」は優待価格なので、特売価格１００円と優待価格８０円とが比較される。その結果、優待価格８０円が選択され、この８０円で販売される。
【００３９】
ＰＬＵコード［ＰＬＵ００２］の商品は優待区分が“１”、すなわち優待情報「２０」は優待割引率なので、割引率５％と優待割引率２０％とが比較される。その結果、優待割引率２０％が選択され、この優待割引率２０％で割引した価格１６０円で販売される。
【００４０】
ＰＬＵコード［ＰＬＵ００３］の商品は優待区分が“０”、すなわち優待情報「２６０」は優待価格なので、特売価格２５０円と優待価格２６０円とが比較される。その結果、特売価格２５０円が選択され、この２５０円で販売される。
【００４１】
ＰＬＵコード［ＰＬＵ００４］の商品は優待区分が“２”、すなわち優待情報「５０」は優待値引額なので、特売価格３００円と値引後の優待価格２５０円とが比較される。その結果、値引後の優待価格２５０円が選択され、この２５０円で販売される。
【００４２】
ＰＬＵコード［ＰＬＵ００５］の商品は優待区分が“１”、すなわち優待情報「１０」は優待割引率なので、割引率２０％と優待割引率１０％とが比較される。その結果、割引率２０％が選択され、この割引率２０％で割引した価格８０円で販売される。
【００４３】
ＰＬＵコード［ＰＬＵ００６］の商品は優待区分が“０”、すなわち優待情報「３４０」は優待価格なので、割引後の特売価格３２０円と優待価格３４０円とが比較される。その結果、割引後の特売価格３２０円が選択され、この３２０円で販売される。
【００４４】
かくして、会員である当該顧客に対しては、図７に示す内容のレシートが印字され発行される。
【００４５】
このように本実施の形態によれば、会員である顧客との商取引の際には、ＰＬＵファイル２３に単価または単価と割引率として設定されている特売価格と優待情報として設定されている優待価格とを比較し、安値の方を選択して商品販売データを処理するようにしている。また、ＰＬＵファイル２３に設定されている非会員に対する割引率と会員に対する優待割引率とを比較し、割引が大きい方を選択して商品販売データを処理するようにしている。
【００４６】
したがって、会員との商取引の際に非会員よりも不利な条件で販売される商品については自動的に非会員と同等な条件で当該商品の販売データが処理されるので、会員の方が不利となるという不都合をキャッシャの負担になることなく未然に防止できる効果を奏する。
【００４７】
なお、この発明は前記実施形態そのままに限定されるものではなく、実施段階ではその要旨を逸脱しない範囲で構成要素を変形して具体化できる。
【００４８】
例えば前記実施の形態では、会員に対して優待価格より値引された価格で販売する際に表示部（オペレータ用ディスプレイ１１，客用ディスプレイ１３）に表示する価格やレシートに印字する価格は、優待価格で販売する場合と同様にその金額のみを表示または印字したが、例えば図８のレシート印字例に示すように、優待価格よりも値引された額を値引額として表示または印字するようにしてもよい。
【００４９】
このような表示または印字は、前記実施の形態において、図６に示した会員登録処理を図９の流れ図に示す処理に変更することによって可能である。なお、図９において、図６と同一の処理ステップには同一符号を付し、詳しい説明を省略する。
【００５０】
すなわち、図９に示す会員登録処理においては、ＰＬＵコードが入力された商品の優待区分が“０”あるいは“２”であった場合には、優待価格と一般価格とを比較し、一般価格の方が優待価格よりも安値であったとき、ＳＴ５１として優待価格から一般価格を減額して値引額を算出し、この値引額を値引額メモリ３７にセットする（値引額算出手段）。そして、価格メモリ３４内の価格に基づいて商品販売データを登録処理した後、オペレータ用ディスプレイ１１及び客用ディスプレイ１３に商品名とともに優待価格メモリ３６内の優待価格と値引額メモリ３７内の値引額とを表示させる。また、商品名，優待価格及び値引額の印字データをレシート印字バッファ３３にセットする（値引額表示手段）。
【００５１】
一方、ＰＬＵコードが入力された商品の優待区分が“１”であった場合には、優待割引率と一般割引率とを比較し、一般割引率の方が優待割引率より大きかったとき、単価を一般割引率で割引した価格を価格メモリ３４にセットした後、ＳＴ５２として単価を優待割引率で割引した価格から同単価を一般割引率で割引した価格を減算して値引額を算出し、値引額メモリ３７にセットする（値引額算出手段）。その後は、前記と同様に、価格メモリ３４内の価格に基づいて商品販売データを登録処理した後、オペレータ用ディスプレイ１１及び客用ディスプレイ１３に商品名とともに優待価格メモリ３６内の優待価格と値引額メモリ３７内の値引額とを表示させる（ＳＴ３９′：値引額表示手段）。また、商品名，優待価格及び値引額の印字データをレシート印字バッファ３３にセットする（ＳＴ４０′：値引額表示手段）。
【００５２】
このような構成を採用することにより、優待価格よりもさらに値引された額が値引額として表示され、またレシートに印字されるので、会員に対してその優位性をより強くアピールできるようになる。
【００５３】
また、前記実施の形態では、優待情報として優待価格，優待割引率及び優待値引額が混在している場合について示したが、いずれか１つの優待情報をＰＬＵファイルで記憶するようにした商品販売データ処理装置に対しても本発明を同様に適用できるものである。例えば、優待情報として優待価格だけを設定する商品販売データ処理装置の場合には、会員登録処理のＳＴ３１の処理の次にＳＴ３４に処理に移行するように会員登録処理を構成すればよい。また、優待情報として優待割引率だけを設定する商品販売データ処理装置の場合には、会員登録処理のＳＴ３１の処理の次にＳＴ４１に処理に移行するように会員登録処理を構成することで対応することができる。
【００５４】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００５５】
【図１】本発明の一実施の形態であるＰＯＳ端末の要部構成を示すブロック図。
【図２】同実施の形態で用いるＰＬＵファイルの主要なデータ構造を示す模式図。
【図３】同実施の形態におけるＰＯＳ端末のＲＡＭに形成される主要なメモリエリアを示す模式図。
【図４】同実施の形態におけるＰＯＳ端末のＣＰＵが実行する商取引処理の要部を示す流れ図。
【図５】図４における非会員登録処理の内容を具体的に示す流れ図。
【図６】図４における会員登録処理の内容を具体的に示す流れ図。
【図７】同実施の形態において印字発行されるレシートの一例を示す平面図。
【図８】本発明の他の実施の形態において印字発行されるレシートの一例を示す平面図。
【図９】同他の実施の形態における会員登録処理の内容を具体的に示す流れ図。
【符号の説明】
【００５６】
１…ＣＰＵ、２…ＲＯＭ、３…ＲＡＭ、５…スキャナ、９…キーボード、１１…オペレータ用ディスプレイ、１３…客用ディスプレイ、１５…プリンタ、１９…会員カード、２０…カードリーダ、２３…ＰＬＵファイル、２４…会員ファイル。
【図１】
2006126957.tif 000003
【図２】
2006126957.tif 000004
【図３】
2006126957.tif 000005
【図４】
2006126957.tif 000006
【図５】
2006126957.tif 000007
【図６】
2006126957.tif 000008
【図７】
2006126957.tif 000009
【図８】
2006126957.tif 000010
【図９】
2006126957.tif 000011